(57)【要約】【課題】ワイヤハーネスの組み立てに際して、端末コネクタの固定と引き抜きとが容易に行える端末コネクタ受け治具を提供する。【解決手段】ワイヤハーネス端末に備わる端末コネクタ７を固定するための端末コネクタ受け治具１であって、端末コネクタ７をセットする載置台５上に、端末コネクタ７におけるワイヤ２９の接続面に対向し、ワイヤ２９が挿通可能な間隔で立設された複数の棒状体からなるクシ歯部３と、そのクシ歯部３とで端末コネクタ７を挟持固定するコネクタ固定部４とを設けた。【選択図】図１
2007234587.tif 000002
【特許請求の範囲】
【請求項１】
ワイヤハーネス端末に備わる端末コネクタを固定するための端末コネクタ受け治具であって、
前記端末コネクタをセットする載置台上に、前記端末コネクタにおけるワイヤの接続面に対向し、前記ワイヤが挿通可能な間隔で立設された複数の棒状体からなるクシ歯部と、そのクシ歯部とで前記端末コネクタを挟持固定するコネクタ固定部とを設けたことを特徴とする端末コネクタ受け治具。
【請求項２】
クシ歯部及びコネクタ固定部が載置台に一体形成されていることを特徴とする請求項１に記載の端末コネクタ受け治具。
【請求項３】
コネクタ固定部は、載置台上の端末コネクタをクシ歯部側へ弾性的に押圧する弾性部位を備えることを特徴とする請求項１又は２に記載の端末コネクタ受け治具。
【請求項４】
弾性部位は逆Ｕ字形湾曲部であることを特徴とする請求項３に記載の端末コネクタ受け治具。
【請求項５】
載置台に、当該載置台上にセットされた端末コネクタのクシ歯部に対する左右の横ずれを規制する規制部を設けたことを特徴とする請求項１乃至４の何れかに記載の端末コネクタ受け治具。
【請求項６】
クシ歯部内又はクシ歯部に隣接して、一又は複数のワイヤを仮止可能なワイヤ仮止部を設けたことを特徴とする請求項１乃至５の何れかに記載の端末コネクタ受け治具。
【請求項７】
ワイヤ仮止部は着脱可能に設けられることを特徴とする請求項６に記載の端末コネクタ受け治具。
【請求項８】
ワイヤ仮止部は、クシ歯部の棒状体と平行に立設される複数の仮止ピンと、一又は複数の前記仮止ピンに外装される弾性ローラとで形成され、ワイヤを、前記仮止ピンと弾性ローラとの間、若しくは複数の前記弾性ローラの間で弾性的に挟持させることで仮止可能としたことを特徴とする請求項６又は７に記載の端末コネクタ受け治具。
【請求項９】
請求項１乃至８の何れかに記載の端末コネクタ受け治具に、ワイヤハーネス端末に備わる端末コネクタを、ワイヤの接続面をクシ歯部側にした状態で載置台の上方から前記クシ歯部とコネクタ固定部との間に配置して、前記クシ歯部とコネクタ固定部との間で前記端末コネクタを挟持固定させることを特徴とする端末コネクタの固定方法。
【請求項１０】
ワイヤハーネス端末に備わる端末コネクタを固定してワイヤハーネスの位置規制を行い、ワイヤハーネスを組み立てる方法であって、
請求項１乃至８の何れかに記載の端末コネクタ受け治具に、前記端末コネクタを、ワイヤの接続面をクシ歯部側にした状態で載置台の上方から前記クシ歯部とコネクタ固定部との間に配置して、前記クシ歯部とコネクタ固定部との間で前記端末コネクタを挟持固定させて、前記ワイヤハーネスの位置規制を行うことを特徴とするワイヤハーネス組み立て方法。
【発明の詳細な説明】
【技術分野】
【０００１】
本発明は、本発明は複数のワイヤからなるワイヤハーネスの組み立てにおいて、ワイヤハーネス端末に備わるコネクタを固定するのに用いる端末コネクタ受け治具に関する。
具体的には、ワイヤハーネスの組み立て時に、ワイヤハーネス端末に備わるコネクタ（端末コネクタと称す）を精度良く固定し、且つ端末コネクタの取り外しが容易であって、更に、種々の大きさの端末コネクタに適用する高い汎用性を有した安価な端末コネクタ受け治具と、その端末コネクタ受け治具を用いた端末コネクタの固定方法とワイヤハーネスの組み立て方法とを提供するものである。
【背景技術】
【０００２】
ワイヤハーネスの組み立てにおいて、ワイヤハーネス端末を位置決めするために、この端末に設けられる端末コネクタを随時精度良く固定することが望まれる。
この端末コネクタの固定には、通常、端末コネクタ受け治具と呼ばれる治具が使用されている。従来から、図８および図９で代表される端末コネクタ受け治具が使用されている。
【０００３】
図８で示される端末コネクタ受け治具１００では、樹脂製枠１０１で端末コネクタ１０２を受け、端末コネクタ１０２の位置を規制して固定するために、その位置精度は正確なものとなるが、治具そのものは、端末コネクタ一品ごとの対応となることから、コストアップ及び使用する端末コネクタ毎に使用する治具を変更する必要があり、開発設計、製作に非常に多くの工数が発生するという課題があった。
【０００４】
一方、図９の端末コネクタ受け治具１１０では、端末コネクタ１１２を挟み込んで押さえる先端押さえ治具１１１ａおよびＵ字治具１１１ｂを別途用意し、この先端押さえ治具１１１ａおよびＵ字治具１１１ｂを治具盤（図に表示せず）に取り付ける工数が発生し、又、使用する端末コネクタ毎に先端押さえ治具の位置が異なることによる先端押さえ治具の取り付け穴を設定しなければならないなどの工数増加の問題が生じていた。
【０００５】
このような状況の中で、特許文献１及び特許文献２で示される改良された端末コネクタ受け治具が提案されている。
特許文献１明細書中で開示されたものは、図１０に示すように、先ず端末コネクタＣを係止部１５０から伸びるＵ字形立設部１５１に配置し、次いで端末コネクタ締結体１５２を端末コネクタＣの周囲に配して固定するというものである。なお、図１０中の符号において、Ｗは分岐電線、Ｌは分岐寸法を示す。
【０００６】
特許文献２明細書中で開示されたものは、図１１に示すように、寸法管理台２００に各種端末コネクタ寸法に対応した位置に設けた一対の穴６０Ａ−３、６０Ｂ−３にＵ字棒５１Ａ、５１Ｂを通し、壁板６１とＵ字棒５１Ａ、５１Ｂとの間に端末コネクタ５６を配置して固定するものであって、幾つかの寸法に対応可能な治具である。
【０００７】
【特許文献１】特開平１０−１０６３６９号公報
【特許文献２】特開平１１−２１３７８２号公報
【発明の開示】
【発明が解決しようとする課題】
【０００８】
しかしながら、特許文献１で提案されているものでは、端末コネクタＣの固定に２段階の作業手順が必要となっている。即ち、図１０で示されるように、第一手順として、端末コネクタＣを係止部１５０から伸びるＵ字形立設部１５１に配置する手順、次いで第二手順として、固定部１５５として一端をベース部１５３に設けた端末コネクタ締結体１５２の他端を締結部１５４として、大きく延ばして端末コネクタＣの周囲に巻きつけ、Ｕ字形立設部１５１の先端に端末コネクタ締結体１５２を引っ掛けることで端末コネクタＣを固定する手順の２段階の作業手順を必要としている。
【０００９】
また、特許文献２に提案されているものは、ある寸法の端末コネクタから異なる寸法の端末コネクタに替える場合には、その替える端末コネクタの寸法に適した寸法管理台２００に設けられている一対の穴６０Ａ−３、６０Ｂ−３にＵ字棒５１Ａ、５１Ｂを再び通さねばならず、その分の作業手順の増加は否めず、作業効率が低下してしまう。
【００１０】
そこで、本発明はこのような状況に鑑みなされたもので、ワイヤハーネスの組み立てに際して、その端末コネクタの固定と引き抜きとが容易に行える端末コネクタ受け治具及び端末コネクタの固定方法と、さらにはワイヤハーネス組み立て方法とを提供することを目的とするものである。
【課題を解決するための手段】
【００１１】
上記目的を達成するために、請求項１に記載の発明は、ワイヤハーネス端末に備わる端末コネクタを固定するための端末コネクタ受け治具であって、端末コネクタをセットする載置台上に、端末コネクタにおけるワイヤの接続面に対向し、ワイヤが挿通可能な間隔で立設された複数の棒状体からなるクシ歯部と、そのクシ歯部とで端末コネクタを挟持固定するコネクタ固定部とを設けたことを特徴とするものである。
請求項２に記載の発明は、請求項１の目的に加えて、端末コネクタ受け治具の剛性を高めるために、クシ歯部及びコネクタ固定部を載置台に一体形成したものである。
請求項３に記載の発明は、請求項１又は２の目的に加えて、端末コネクタの挟持固定をより確実に行うために、コネクタ固定部は、載置台上の端末コネクタをクシ歯部側へ弾性的に押圧する弾性部位を備える構成としたものである。
請求項４に記載の発明は、請求項１乃至３の何れかの目的に加えて、弾性部位を簡単に構成するために、弾性部位を逆Ｕ字形湾曲部としたものである。
【００１２】
請求項５に記載の発明は、請求項１乃至４の何れかの目的に加えて、載置台上での端末コネクタの横ずれに起因するワイヤハーネス結束時の位置ずれやワイヤへの応力付加を防止するために、載置台に、当該載置台上にセットされた端末コネクタのクシ歯部に対する左右の横ずれを規制する規制部を設けたものである。
【００１３】
請求項６に記載の発明は、請求項１乃至５の何れかの目的に加えて、単独のワイヤが作業の邪魔にならないようにしてワイヤハーネスの組立効率を高めるために、クシ歯部内又はクシ歯部に隣接して、一又は複数のワイヤを仮止可能なワイヤ仮止部を設けたものである。
請求項７に記載の発明は、請求項６の目的に加えて、必要なときのみワイヤ仮止部を使用できるようにするために、ワイヤ仮止部は着脱可能に設けたものである。
請求項８に記載の発明は、請求項６又は７の目的に加えて、ワイヤの仮止と取り外しとが容易に行えるワイヤ仮止部を得るために、ワイヤ仮止部を、クシ歯部の棒状体と平行に立設される複数の仮止ピンと、一又は複数の仮止ピンに外装される弾性ローラとで形成して、ワイヤを、仮止ピンと弾性ローラとの間、若しくは複数の弾性ローラの間で弾性的に挟持させることで仮止可能としたものである。
【００１４】
上記目的を達成するために、請求項９に記載の発明は、端末コネクタの固定方法であって、請求項１乃至８の何れかに記載の端末コネクタ受け治具に、ワイヤハーネス端末に備わる端末コネクタを、ワイヤの接続面をクシ歯部側にした状態で載置台の上方からクシ歯部とコネクタ固定部との間に配置して、クシ歯部とコネクタ固定部との間で端末コネクタを挟持固定させることを特徴とするものである。
上記目的を達成するために、請求項１０に記載の発明は、ワイヤハーネス端末に備わる端末コネクタを固定してワイヤハーネスの位置規制を行い、ワイヤハーネスを組み立てる方法であって、請求項１乃至８の何れかに記載の端末コネクタ受け治具に、端末コネクタを、ワイヤの接続面をクシ歯部側にした状態で載置台の上方からクシ歯部とコネクタ固定部との間に配置して、クシ歯部とコネクタ固定部との間で端末コネクタを挟持固定させて、ワイヤハーネスの位置規制を行うことを特徴とするものである。
【発明の効果】
【００１５】
本発明によれば、ワイヤハーネスの端末に備わる端末コネクタを容易、且つ精度良く装着、固定、引き抜きすることができると共に、種々の大きさの端末コネクタに対して、生産工数を増加させることなく適応可能となる。よって、汎用性にも優れ、ワイヤハーネス組み立て工程の生産効率、生産コストの低減に顕著な効果を奏する。
請求項２に記載の発明によれば、請求項１の効果に加えて、端末コネクタ受け治具の剛性を高めることができる。
請求項３に記載の発明によれば、請求項１又は２の効果に加えて、端末コネクタの挟持固定をより確実に行うことができる。
請求項４に記載の発明によれば、請求項１乃至３の何れかの効果に加えて、弾性部位を簡単に構成することができる。
【００１６】
請求項５に記載の発明によれば、請求項１乃至４の何れかの効果に加えて、規制部の採用により、載置台上での端末コネクタの横ずれに起因するワイヤハーネス結束時の位置ずれやワイヤへの応力付加を防止することができる。
【００１７】
請求項６に記載の発明によれば、請求項１乃至５の何れかの効果に加えて、ワイヤ仮止部の採用により、単独のワイヤが作業の邪魔になることがなくなり、ワイヤハーネスの組立効率を高めることができる。
請求項７に記載の発明によれば、請求項６の効果に加えて、必要なときのみワイヤ仮止部を使用可能となり、使い勝手が向上する。
請求項８に記載の発明によれば、請求項６又は７の効果に加えて、ワイヤの仮止と取り外しとが容易に行える。
【発明を実施するための最良の形態】
【００１８】
以下、本発明の実施の形態を図面に基づいて説明する。
図１は第一の実施形態を示す端末コネクタ受け治具の斜視図で、（ａ）は全体図を表し、（ｂ）は載置台を表している。１は本実施形態の端末コネクタ受け治具、２は支持台、３はクシ歯部、４は逆Ｕ字形湾曲部４ａを有してばね性を備えるコネクタ固定部、５は載置台、５ａはクシ歯部３をはめ込むための取り付け穴、６は載置台５のたわみ防止リブ、７は端末コネクタ、２９はワイヤである。
【００１９】
図１（ａ）、（ｂ）において、端末コネクタ受け治具１は、上方向に向けて立設された複数の棒状体からなるクシ歯部３を備えた支持台２と、一端部に弾性部位となる逆Ｕ字形湾曲部４ａを有したコネクタ固定部４を備える載置台５とからなり、載置台５の他端部に設けた取り付け穴５ａにクシ歯部３を差込み、取り付け穴５ａとクシ歯部３とを嵌合させることで、支持台２と載置台５とが一体化される。６は、載置台５の下面に形成されたたわみ防止リブで、このたわみ防止リブ６は、支持台２と載置台５との組み付け状態で支持台２の背面に当接することで、載置台５の下方へのたわみを防止するものである。
【００２０】
このように、端末コネクタ受け治具１を支持台２と載置台５とを組み合わせる構造にすることで、端末コネクタの大きさに応じた複数の載置台５を用意しておけば、適時端末コネクタ７に合わせて最適な載置台５を選択でき、広範囲な種々の大きさの端末コネクタ７に対応できる。
【００２１】
次に、前記端末コネクタ受け治具１への端末コネクタ７の装着、固定および引き抜きの方法について説明する。
図２は、本発明に係る実施形態における端末コネクタ受け治具の端末コネクタの固定に関する説明図で、ここで示すように、端末コネクタ７の長さをＡ、クシ歯部３とコネクタ固定部４との間隔Ｂにおける自然長をＢｎｅｕ、その最大長をＢｍａｘとした場合の端末コネクタ７及び端末コネクタ受け治具１との関係を、Ｂｍａｘ＞Ａ≧Ｂｎｅｕとなるように設定する。
【００２２】
端末コネクタ７の装着および固定に際しては、先の条件Ｂｍａｘ＞Ａ≧Ｂｎｅｕのもとで、端末コネクタ７を、ワイヤ２９の接続側をクシ歯部３側にした状態で、ワイヤ端末コネクタ受け治具１の載置台５へ上方から差し入れていくと、クシ歯部３にワイヤ２９が挟み込まれるとともに、クシ歯部３とコネクタ固定部４の間隔が、コネクタ固定部４が有するばね性により開いていく。間隔Ｂが自然長Ｂｎｅｕから端末コネクタ７を固定する長さ（およそＡに等しい）に到達すると、端末コネクタ７がコネクタ固定部４とクシ歯部３とに挟まれる格好になって、クシ歯部３を基準点とする規定位置に装着される。これにより、コネクタ固定部４が有するばね性によりコネクタ固定部４とクシ歯部３とで端末コネクタ７が挟み込まれ、しっかりと固定される。
【００２３】
一方、端末コネクタ７の引き抜き（取り外し）に際しては、クシ歯部３とコネクタ固定部４との間隔Ｂを端末コネクタ７の長さＡより大きくするように端末コネクタ７を上方に引き抜くことで、容易に端末コネクタ７を引き抜くことができる。
【００２４】
前記端末コネクタの装着、固定、引き抜きに関する方法は、本発明に係る実施形態全てに共通するものであって、ワイヤハーネス組み立て工程における生産効率の向上と生産コストの削減を実現できるものである。
即ち、ワイヤハーネス組み立て工程において、コネクタ固定部が有するばね性により、治具盤に固定されている支持台に備わるクシ歯部に端末コネクタが押し付けられることで、ワイヤハーネス端末の位置規制が精度良く且つ容易に行われ、端末コネクタの装着、固定及び引き抜きに関しても、ばね性を利用してワンアクションで容易に行うことができる。
更に、クシ歯部とコネクタ固定部との間隔Ｂが可変であることから、長さの異なる多様な端末コネクタの装着、固定を治具の交換をせずに行うことができる。よって、その作業効率を低下させないと共に、一つの端末コネクタ受け治具で複数の種類の端末コネクタに対応でき、生産コストの削減に寄与可能となる。
【００２５】
このように、上記形態の端末コネクタ受け治具及び端末コネクタの固定方法、ワイヤハーネス組み立て方法によれば、端末コネクタ７を容易、且つ精度良く装着、固定、引き抜きすることができると共に、種々の大きさの端末コネクタ７に対して、生産工数を増加させることなく適応可能となる。よって、汎用性にも優れ、ワイヤハーネス組み立て工程の生産効率、生産コストの低減に顕著な効果を奏する。
また、ここでは、コネクタ固定部４は、載置台５上の端末コネクタ７をクシ歯部３側へ弾性的に押圧する弾性部位（逆Ｕ字形湾曲部４ａ）を備えるので、端末コネクタ７の挟持固定をより確実に行うことができる。特に、弾性部位を逆Ｕ字形湾曲部４ａとしたことで、弾性部位が簡単に構成可能となっている。
【００２６】
次に、図３に示す第二の実施形態は、第一の実施形態における支持台２と載置台５とを一体として形成したものである。
図３において、１１は端末コネクタ受け治具、１３はクシ歯部、１４はコネクタ固定部、１４ａは逆Ｕ字形湾曲部でばね性を有する。本実施形態は支持台２と載置台５とを一体として形成せしめたことにより、先の第一の実施形態のような嵌合部を有しないために、非常に剛性の高い端末コネクタ受け治具となっている。
なお、本実施形態では、第一の実施形態のような広範囲の大きさの端末コネクタには対応できないが、先に述べた端末コネクタの装着、固定、引き抜きに関する方法から、ある大きさの範囲で端末コネクタに対応は可能であり、汎用性を有している。
【００２７】
図４は第三の実施形態を示す端末コネクタ受け治具２１の斜視図である。端末コネクタ受け治具２１において、２２は支持台、２３はクシ歯部、２４はコネクタ固定部、２４ａは逆Ｕ字形湾曲部、２５は載置台で、ここでは、載置台２５の端部に側面より壁を立ち上げ、クシ歯部２３内の最外部位にワイヤ仮止部２８を設けている。２９はワイヤである。
すなわち、端末コネクタ７に全てのワイヤが接続されておらず、一部のワイヤが未接続となっている場合、そのワイヤの絶縁被覆部分を、ワイヤ仮止部２８と最外の棒状体との間に上方から差し込むことで、ワイヤ仮止部２８と棒状体との間でワイヤ２９を挟持させてワイヤ２９を仮止できるようにしたものである。なお、当該ワイヤ２９が必要なときにはワイヤ仮止部２８と棒状体との間から上方へ抜き取るようにすれば簡単に取り外すことができる。
このように、上記形態によれば、クシ歯部２３内にワイヤ２９を仮止可能なワイヤ仮止部２８を設けたことで、単独のワイヤ２９が作業の邪魔になることがなくなり、ワイヤハーネスの組立効率を高めることができる。
【００２８】
図５に示す第四の実施形態は、コネクタ固定部の弾性部位の変更例に関するもので、コネクタ固定部にばね性を与える様々な形態を採っている。
図５（ａ）は、コネクタ固定部と一体の逆Ｕ字形湾曲部３０ａを有することでばね性を発現させる板ばね形態のコネクタ固定部３０、（ｂ）は、ばね性を示すスナップ部３２ａを有するコネクタ固定部３２、（ｃ）は、円環曲部３１ａによりばね性を発現させる円環ばね形態のコネクタ固定部３１、（ｄ）は、板ばね部材３３ａを設けることによりばね性を発現させる板ばね形態のコネクタ固定部３３となっている。
【００２９】
図６は第五の実施形態を示すもので、この端末コネクタ受け治具４０において、まず端末コネクタ７をセットする載置台４１の手前側には、クシ歯部４２の棒状体となる複数の金属ピン４２ａ，４２ａ・・が、所定間隔で互いに平行に差し込み装着されると共に、載置台４１の両サイドには、端末コネクタ７のセット状態でその外面に近接する規制部としての横壁４３，４３が互いに平行に立設されている。４４はコネクタ固定部、４４ａは逆Ｕ字形湾曲部である。
【００３０】
また、載置台４１には、ワイヤ仮止部となる仮止ユニット４５が着脱可能に設けられている。この仮止ユニット４５は、載置台４１におけるクシ歯部４２の左右両外に凹設された差込孔４１ａ，４１ａに差し込み可能な差込部４６と、その差込部４６の上部に形成される矩形状の台部４７と、その台部４７上に所定間隔で立設される一対の仮止ピン４８，４８と、一方の仮止ピン４８に外装される弾性ローラ４９とを有し、差込孔４１ａの一方を選択して差込部４６を差し込むと、仮止ピン４８，４８が、平面視でクシ歯部４２の金属ピン４２ａと同じ間隔で直線状に並ぶようになっている。５０は、台部４７の下面に突設された三角形状の当接片で、差込孔４１ａへの差込部４６の差し込み状態で、当接片５０の側縁が端末コネクタ受け治具４０の側面に当接して、載置台４１の側方へ突出する台部４７を水平に保持するものである。
【００３１】
そして、弾性ローラ４９は、複数の突条４９ａ，４９ａ・・を等間隔で放射状に突出して横断面が星形となるゴム製で、仮止ピン４８への外装状態では、突条４９ａの先端が隣接する仮止ピン４８に近接して、端末コネクタ７に接続されるワイヤ２９よりも僅かに小さい隙間が形成されるようになっている。
【００３２】
よって、この形態の端末コネクタ受け治具４０においては、図７に示すように、端末コネクタ７を載置台４１にセットすると、端末コネクタ７の左右側に横壁４３，４３が位置して左右方向への移動が規制されることになる。先の形態の端末コネクタ受け治具１，１１等では、端末コネクタ７をセットした際に端末コネクタ７が左右方向に横ずれするおそれがあり、このためワイヤハーネス結束時に位置ずれの原因となったり、クシ歯部を通るワイヤに不要な応力が加わったりすることがあったが、この形態では、端末コネクタ７のクシ歯部４２に対する左右の横ずれを規制する横壁４３を設けたことで、載置台４１上での端末コネクタ７の横ずれに起因するワイヤハーネス結束時の位置ずれやワイヤ２９への応力付加を防止することができる。
【００３３】
一方、端末コネクタ７に全てのワイヤが接続されておらず、一部のワイヤが未接続となっている場合、そのワイヤ２９ａの絶縁被覆部分を、図７のように仮止ユニット４５において仮止ピン４８と弾性ローラ４９との間に上方から差し込むと、当該ワイヤ２９ａが仮止ピン４８と弾性ローラ４９との間で弾性的に挟持されてクシ歯部４２の外側で仮止される。よって、ワイヤ２９ａがワイヤハーネスの組立作業の邪魔になることがない。当該ワイヤ２９ａが必要なときには仮止ピン４８と弾性ローラ４９との間から上方へ抜き取るようにすれば簡単に取り外すことができる。
【００３４】
このように、この形態でも、クシ歯部４２に隣接して一又は複数のワイヤ２９ａを仮止可能な仮止ユニット４５を設けたことで、単独のワイヤ２９ａが作業の邪魔になることがなくなり、ワイヤハーネスの組立効率を高めることができる。
また、仮止ユニット４５は着脱可能に設けられるので、必要なときのみ仮止ユニット４５を使用可能となり、使い勝手が向上する。特に、仮止ユニット４５は載置台４１の左右何れか選択して着脱可能となっているため、作業状態に応じてワイヤ２９ａを仮止するサイドを適宜選択できる。なお、ここでは、弾性ローラ４９も仮止ピン４８に対して着脱可能であることから、仮止ピン４８は載置台４１に立設させたまま常態でクシ歯部として利用し、仮止が必要なときに弾性ローラ４９を外装する使用形態も考えられる。
さらに、仮止ユニット４５を、クシ歯部４２の金属ピン４２ａと平行に立設される複数の仮止ピン４８と、一の仮止ピン４８に外装される弾性ローラ４９とで形成し、ワイヤ２９ａを仮止ピン４８と弾性ローラ４９との間で弾性的に挟持させるようにしたことで、ワイヤ２９ａの仮止と取り外しとが容易に行えるようになっている。
【００３５】
なお、規制部は、上記形態のような壁体にする必要はなく、端末コネクタの横ずれを規制できるものであれば、一又は複数の棒状体や突起を載置台の両サイドに立設する等、適宜設計変更して差し支えない。
また、ワイヤ仮止部も、上記仮止ユニットのように着脱可能な構造に限るものではなく、図４の形態と同様に載置台から仮止ピンを一体に立設したり、仮止ピンの数を増やしてワイヤの仮止位置を増やしたりしてもよい。よって、弾性ローラも、仮止ピンに着脱可能とするのに限らず、仮止ピンに一体に外装したり、複数の仮止ピンに夫々設けるようにしたりして差し支えない。勿論突条を設けた上記星形に限らず、単純な横断面円形とする等、ワイヤの挟持が可能であれば他の形状も採用できる。但し、上記形態のように放射方向へ均等な形状とすれば、弾性ローラの異方性がなくなるため、仮止ピンへの外装時に向きを考慮する必要がなく、組み付けが楽となる。
さらに、仮止ピンと弾性ローラとでワイヤを挟持するものに限らず、複数の仮止ピンに夫々弾性ローラを外装して、弾性ローラの間でワイヤを弾性的に挟持するようにしてもよい。
【００３６】
本発明の実施形態は、先に述べた実施形態に限定されるものではなく、端末コネクタ受け治具の上方より端末コネクタを挿入し、コネクタ固定部とクシ歯部で構成するばね部で固定する方法、及び端末コネクタを載置台の所定の位置に配置した後、ばね性を有するコネクタ固定部で端末コネクタを押さえる方法も採用可能である。
【図面の簡単な説明】
【００３７】
【図１】第一の実施形態の斜視図であり、（ａ）は端末コネクタ受け治具全体を示し、（ｂ）は載置台のみを示す。
【図２】端末コネクタ受け治具への端末コネクタの装着、固定方法の説明図である。
【図３】第二の実施形態の斜視図である。
【図４】第三の実施形態の斜視図である。
【図５】第四の実施形態としてコネクタ固定部の変更例を示す断面図である。
【図６】第五の実施形態の斜視図である。
【図７】端末コネクタ受け治具の平面図である。
【図８】従来の端末コネクタ受け治具の斜視図である。
【図９】従来の端末コネクタ受け治具の斜視図である。
【図１０】特許文献１の図１である。
【図１１】特許文献２の図５である。
【符号の説明】
【００３８】
１、１１、２１、４０・・端末コネクタ受け治具、２、２２・・支持台、３、１３、２３、４２・・クシ歯部、４、１４、２４、３０〜３３、４４・・コネクタ固定部、４ａ、１４ａ、２４ａ、４４ａ・・逆Ｕ字形湾曲部、５、２５・・載置台、５ａ・・取り付け穴、６・・たわみ防止リブ、７・・端末コネクタ、２８・・ワイヤ仮止部、２９・・ワイヤ、４３・・横壁、４５・・仮止ユニット、４８・・仮止ピン、４９・・弾性ローラ、５１Ａ、５１Ｂ・・Ｕ字棒、５６・・端末コネクタ、６０・・平板部、６０Ａ−３，６０Ｂ−３・・穴、６１・・壁板、２００・・ワイヤハーネス寸法管理治具、１００、１１０・・端末コネクタ受け治具、１０１・・樹脂製枠、１０２、１１２・・端末コネクタ、１１１ａ・・先端抑え治具、１１１ｂ・・Ｕ字治具、１５０・・係止部、１５１・・立設部、１５２・・端末コネクタ締結体、１５３・・ベース部、１５４・・端末コネクタ締結体締結部、１５５・・端末コネクタ締結体固定部。
【図１】
2007234587.tif 000003
【図２】
2007234587.tif 000004
【図３】
2007234587.tif 000005
【図４】
2007234587.tif 000006
【図５】
2007234587.tif 000007
【図６】
2007234587.tif 000008
【図７】
2007234587.tif 000009
【図８】
2007234587.tif 000010
【図９】
2007234587.tif 000011
【図１０】
2007234587.tif 000012
【図１１】
2007234587.tif 000013